(57)【特許請求の範囲】
【請求項１】
押しボタンを含むボールペンにおいて、
前記押しボタンは、掛け金突出部が形成された第１バー部と、キャップ突出部が端に付着した第２バー部とを含み、前記第１バー部と前記第２バー部は、Ｖ字形に連結され、
前記押しボタンのキャップ突出部を押せば、ボールペン芯がボールペンケースの外に出て、前記掛け金突出部を押せば、前記ボールペン芯がボールペンケース中に入り、
前記第１バー部と前記第２バー部は、ボールペンケース面側に偏って分布することにより、前記ボールペン芯のペン先反対側終端が前記キャップ突出部まで入るスペース空間が形成され、
前記ボールペンケースは、前記掛け金突出部が嵌め込まれる１以上の孔と、前記ボールペンの中心軸を基準に、前記孔の反対側に位置し、前記ボールペン芯が差し入れられたり排出されたりする凹状通路と、を含むことを特徴とするボールペン。
【請求項２】
Ｖ字形の前記第１バー部と前記第２バー部とが出合う地点は、その断面が、ボールペン芯が挟み込まれやすいように斜めな漏斗状であることを特徴とする請求項１に記載のボールペン。
【請求項３】
前記キャップ突出部内部は、スペース空間が形成されることにより、その中にボールペン芯ペン先反対側終端が入ることを特徴とする請求項１に記載のボールペン。
【請求項４】
前記キャップ突出部は、柱状体において前記第１バー部の反対側を切り取った形態を有することを特徴とする請求項３に記載のボールペン。
【請求項５】
前記キャップ突出部の内側の一側は、前記ボールペン芯に嵌め込み可能な凸状部を有することを特徴とする請求項１に記載のボールペン。
【請求項６】
押しボタンを含むボールペンにおいて、
前記押しボタンは、掛け金突出部が形成された第１バー部と、キャップ突出部が端に付着した第２バー部とを含み、前記第１バー部と前記第２バー部は、Ｖ字形に連結され、
前記押しボタンのキャップ突出部を押せば、ボールペン芯がボールペンケースの外に出て、前記掛け金突出部を押せば、前記ボールペン芯がボールペンケース中に入り、
前記第１バー部と前記第２バー部は、ボールペンケース面側に偏って分布することにより、前記ボールペン芯のペン先反対側終端が前記キャップ突出部まで入るスペース空間が形成され、
前記第２バー部は、２個のバーを含み、前記２つの連結バーは、前記第１バー部の掛け金突出部が押される場合、前記第１バー部が動く平面の左右側にそれぞれ形成されたことを特徴とするボールペン。
【請求項７】
Ｖ字形の前記第１バー部と前記第２バー部とが出合う地点の断面は、前記ボールペン芯が挟み込まれやすいように斜めな漏斗状となることを特徴とする請求項６に記載のボールペン。
【請求項８】
前記キャップ突出部内部は、スペース空間が形成されることにより、その中にボールペン芯ペン先反対側終端が入ることを特徴とする請求項６に記載のボールペン。
【請求項９】
前記キャップ突出部は、柱状体において前記第１バー部の反対側を切り取った形態を有することを特徴とする請求項８に記載のボールペン。
【請求項１０】
前記ボールペンケースは、前記掛け金突出部が嵌め込まれる１以上の孔と、前記孔の反対側に位置し、前記ボールペン芯が差し入れられたり排出されたりする凹状通路と、を含むことを特徴とする請求項９に記載のボールペン。
【請求項１１】
前記キャップ突出部の内側一面は、前記ボールペン芯に嵌め込み可能な凸状部を有することを特徴とする請求項６に記載のボールペン。
【発明の詳細な説明】
【技術分野】
【０００１】
本発明は、小さいポケットに容易に入る携帯に便利な小さいボールペンに関する。
【背景技術】
【０００２】
図１３は、既存の長いボールペンを使用する場合、親指でボタンを押すときの手の位置ＵＰを示したものであり、図１４は、ボールペンで文字を書くために、ボタンの反対側であるペン先側に移動した手の位置ＤＰを示したものである。図１５を見れば、本発明による小さいボールペンの場合、手の２つの位置ＵＰ，ＤＰ間の距離が非常に短いということが分かる。すなわち、本発明の小さいボールペンは、ボールペンを手にした状態から、親指でボタンを押した後、すぐに文字を書くことができる。しかし、既存ボールペンは、ボールペンが長く、親指でボタンを押した後、手全体がペン先側に移動して初めて文字を書くことができる。
【０００３】
また、ボールペンが小さく、ポケットに入れても、ボタンが誤って押される可能性が低く、従って、ボールペンのインクが服に染み付く可能性も低い。
【発明の概要】
【本発明が解決しようとする課題】
【０００４】
本発明は、既存のボールペンが長く、例えば、ジーパンの後ポケットやジャンパーの内ポケットに入れれば、ポケットに挟まって取り出し難いという問題を解決することを目的とする。
【０００５】
そして、既存のボールペンは、長さが長く、ボールペンを取って親指でボタンを押し、ボールペンの芯をボールペンケースの外に出させた後、文字を書くために、手がボタン側からボールペンのペン先側に移動しなければならない不都合を解消することを目的とする。
【課題を解決するための手段】
【０００６】
前記目的を達成するために、本発明の小さいボールペンは、既存のボールペンの押しボタンの形態を変形させ、ボールペン芯を押しボタン内に入れることにより、ボールペンの長さを短くしたことを特徴とする。
【発明の効果】
【０００７】
本発明の小さいボールペンは、既存ボールペンより小さいので、ボールペン製造に必要な材料が減り、製造コストを節減することができる。また、本発明による小さいボールペンは、既存ボールペンより重さが軽いので、ボールペンで文字を書くとき、軽く、長時間文字を書いても、手の筋肉の疲れが大きくない。
【０００８】
また、ボールペンの長さが短いので、慣性モーメントが小さく、文字を手早く書くことができる。
【０００９】
本発明のボールペンは、長さが短く、ボールペンを取って親指でボタンを押し、ボールペンの芯をボールペンケースの外に出させた後、文字を書くために、手がボタン側からボールペンのペン先側に移動する必要なしに、直ちに文字を書き始めることができる。特に、手が小さい子供の場合、手の移動距離を大きく減らすことができ、さらに効率的であって迅速にボールペンを使用することができる。
【図面の簡単な説明】
【００１０】
【図１】既存ボールペンの断面図である。
【図２】既存ボールペンボタンの構成図である。
【図３】本発明の実施形態１の構成図である。
【図４】図３の変形例である。
【図５Ａ】図３の変形例である。
【図５Ｂ】図５Ａの断面図である。
【図６Ａ】既存ボールペンの構成図である。
【図６Ｂ】単一部品によって形成されたボールペンケースである。
【図６Ｃ】図６Ｃは単一部品によって形成されたボールペンケースに、ボールペン芯を差し込む様子の図面である。
【図７】他の形態の既存ボールペンの断面図である。
【図８】図７のボタン構成図である。
【図９】図８の構成の断面図である。
【図１０】本発明の実施形態２の構成図である。
【図１１】本発明の実施形態２の変形例である。
【図１２】図１１の断面図である。
【図１３】既存ボールペンのボタンを押す様子の図面である。
【図１４】既存ボールペンで文字を書く様子の図面である。
【図１５】本発明の短いボールペンで文字を書く様子の図面である。
【発明を実施するための形態】
【００１１】
実施形態１
図１は、既存のモナミ１５３ボールペンの断面図であり、図２は、そのボタンの拡大図である。図２において、ボールペン芯ＣＯは、そのペン先ＴＰ反対側の端部分ＥＰが、Ｖ字形の押しボタンの下側一端ＢＥに接触するようになっている。Ｖ字形押しボタンの前記一端ＢＥには、弾性がある掛け金ＬＴが形成された第１バーと、円筒状キャップ突出部ＢＴが付着された第２バーＣＲとがＶ字形に付着されている。前記掛け金には、扇形状の第１突出部ＣＸ１と第２突出部ＣＸ２とが形成されており、ボールペンケース（パイプ状のボールペン本体）に形成された２つの孔ＨＯ１，ＨＯ２に、前記２つの突出部が嵌め込まれる。かようなボタンの円筒状キャップ突出部ＢＴを、ボールペンケース内に押せば、ボールペン芯のペン先ＴＰが、ケースペン先孔ＨＯ外に出て、第１突出部ＣＸ１を押せば、ボールペンに嵌め込まれたスプリングＳＰにより、芯がケースペン先孔ＨＯ内に入る。
【００１２】
図３は、本発明による押しボタンを示したものである。図２の押しボタンと、図３の押しボタンとの違いは、図２の第２連結バーＣＲの位置に、ボールペン芯が入るように、第２連結バーＣＲを、左右２つの連結バーＣＲ１，ＣＲ２に変形したものである。ボールペン芯が、第２連結バーの位置に入るように、第２連結バーと第１連結バーは、最大限ボールペンケース表面側に分布するこのが望ましい。ここで、ボールペンケース表面側に分布するということは、パイプ状のボールペンの中心軸から、遠く離れた方向に分布するということを意味する。かような２つの連結バーＣＲ１，ＣＲ２のうち一つは、省略されてもよい。２つの連結バーＣＲ１，ＣＲ２の間に入ったボールペン芯ＣＯは、押しボタンの円筒状キャップ突出部ＢＴの円筒の下面ＢＳに接触する。このように、ボールペン芯が、２つの連結バー間に入ることにより、ボールペンの全体長（ペン先から押しボタンの円筒状突出部までの距離）は、図１の構成に比べて図３の構成の場合、連結バーＣＲほど短くなる。
【００１３】
ボールペン芯を左右２つの連結バーＣＲ１，ＣＲ２間に挟み込みやすいように、図３の押しボタンの端ＥＰは、尖っており、その内側面ＣＰは、斜めである漏斗状に形成することが望ましい。
【００１４】
図４は、図３の構成において、押しボタンの円筒状キャップ突出部ＢＴの内側に、ボールペン芯が入るように、円筒状溝ＣＸを形成した様子である。かような構成のボタンＢＴを使用すれば、ボールペン芯がボタンＢＴの端まで入るので、ボールペンの全体長を、図３の場合よりもらに短くすることができる。図４のように、ユーザが、押しボタン円筒状突出部ＢＴを押せば、掛け金ＬＴが、押し方向ＰＳに移動しながら、ケースによって押され（ＲＯ）、その下にあるボールペン芯ＣＯが、下側（掛け金の反対側）に押されて力を受ける。その場合、掛け金ＬＴが下方に円滑に押されるために、ボールペン芯が最大限下側（掛け金の反対側）に位置することが必要であり、そのために、図５Ａのように、押しボタンの円筒状突出部ＢＴの円筒の下側横面を切り取ることが望ましい。
【００１５】
もし円筒状突出部ＢＴの円筒の下側横面を切り取らないのであるならば、ボールペンケースのパイプの半径が大きくなる。すなわち、かような構成でもって、ボールペンケースの体積が大きくなることを防ぎ、材料費を節減することができ、ボールペンの重さを軽くし、運送費を節減することができる。図５Ｂは、図５Ａの構成のボールペンボタンにボールペン芯が挟み込まれた断面図である。
【００１６】
既存のモナミ１５３ボールペンのケースは、図６Ａのように、ボールペンの芯を交換することができるように、ボールペンのペン先部分ＰＴ１を回せば分解されるように、２つの部品ＰＴ１，ＰＴ２から構成されている。かような２つの部品を、図６Ｂのように、１つの部品で形成する一方、ボールペン芯を抜いて差し込むことができるように、Ｕ字形の凹状通路ＨＯ３をケースに形成することもできる。このように、１つの部品でもってボールペンケースを構成すれば、製造工程が簡単になるという長所があり、ケースの断面形態を自由に選択することができる。また、分解された各部品の紛失の恐れも減る。既存２つの部品ＰＴ１，ＰＴ２には、それぞれねじが形成されており、互いに螺合されて組み上げられる。かようなねじは、螺合されるように、必ず円筒上に形成されなければならない。すなわち、２つの部品の結合領域は、必ず断面が円筒形でなければならない。しかし、本実施形態による１つの部品は、かような制限なしに、任意の断面形態でもってケースをデザインすることができる。かような任意形態のケースは、ユーザが直接デザインし、３Ｄ（three-dimensional）プリンタを使用して製作することもできる。また、凹状通路ＨＯ３は、既存の孔ＨＯ１，ＨＯ２の反対側に形成することが望ましい。ここで、反対側は、円筒状ケースの中心軸ＡＸを中心に、孔ＨＯ１，ＨＯ２と凹状溝ＨＯ３とが互いに反対側に形成されるということを意味する。字を書いている最中に、かような凹状通路ＨＯ３を介して、ボールペン芯がケース外に抜け出ないように、本発明による押しボタンの円筒状キャップ突出部ＢＴの内側面には、図５Ｂのように、ボールペン芯が嵌め込まれる凸状溝ＢＸを形成することが望ましい。図６Ｃは、凹状通路ＨＯ３を介して、ボールペンの芯を差し入れる様子である。
【００１７】
実施形態２
ボールペンの中には、ボタンを１回押せば、ボールペン芯がケース外に出て、前記同一ボタンをさらに１回押せば、芯がケース内に入る製品もある。図７は、そのようなボールペンの断面図であり、図８は、該ボタンの構成図である。図８において、ボールペンケースＣＳ内面には、押しボタンに形成された凸状溝ＰＸ，ＭＸが嵌め込まれる凹状溝ＬＨが形成されている。図８のケースＣＳは、ケース円筒の軸を通過する平面で切り取った様子を示したものである。押しボタンは、手で押すことができるように、外部で露出される上側外部押し部ＥＢと、その押し部下側に嵌め込まれる内部回転部品ＲＰとから構成される。内部回転部品ＲＰには、ボールペン芯ＣＯが差し込まれる。外部押し部ＥＢと内部回転部品ＲＰとが接触する面は、鋸歯状にギザギザに形成されている。図９は、図８の構成の断面図である。外部押し部ＥＢを押せば、内部回転部品ＲＰが押されられながら回転し、ボールペンケースＣＳの内面にわたってボールペン芯のペン先ＴＰが孔ＨＯ外に出る。さらに１回外部押し部ＥＢを押せば、内部回転部品ＲＰが押されられながら回転し、ボールペン芯ペン先が孔中に入る。
【００１８】
図１０は、図９を変形させた本実施形態のボタンである。図１０において、ボールペン芯ＣＯのペン先ＴＰの反対側には、凸状第２溝ＸＣが形成されている。第１溝ＸＳは、図１１のように、ペン先部分に形成されてスプリングが嵌め込まれる。かような凸状溝は、既存のボールペン芯に挟み込まれたスプリングの位置を固定するための、第１溝ＸＳのような方式で製造される。かような溝は、スプリングの膨脹する力により、内部回転部品ＲＰに掛かる。内部回転部品ＲＰには、ボールペン芯が通過することができるように孔が形成され、ボールペン芯のペン先反対側端は、外部押し部ＥＢの端部分まで逹する。かような構成のボールペン芯の凸状第２溝ＸＣは、回転する内部回転部品ＲＰとの摩擦によって摩耗されやすいという問題がある。かような摩耗を防ぐために、ボールペン芯の凸状溝ＸＣと内部回転部品ＲＰとの間に、摩耗に耐えることができる材質（例えば、金属）のリングＲＩやワッシャをさらに挟み込むことが望ましい。
【００１９】
図１１のように、ボールペン芯に、新たな第２凸状溝ＸＣを形成する代わりに、すでにペン先部分にあるスプリングを挟みいれる凸状第１溝ＸＳに掛かる長い円筒ＣＹをボールペンに嵌め込んで使用することもできる。図１２は、前記円筒ＣＹをボールペン芯に嵌め込んで内部回転部品ＲＰにかけたボールペンの断面図である。
【００２０】
図１５を参照すれば、本発明による小さいボールペンの場合の２つの手の位置ＵＰ，ＤＰ間の距離が非常に狭いということが分かる。すなわち、本発明の小さいペンは、ボールペンを手にした状態で、親指でボタンを押した直後、すぐに文字を書くことができる。しかし、既存のボールペンは、ボールペンが長く、親指でボタンを押した後、手自体がペン先側に移動してこそ文字を書くことが可能である。
【００２１】
また、ボールペンが小さく、ポケットに入れても、ボタンが誤って押される恐れがなく、従って、ボールペンのインクが衣服に染み付く可能性が低くなる。
【図１】
0006509229.tif 000002
【図２】
0006509229.tif 000003
【図３】
0006509229.tif 000004
【図４】
0006509229.tif 000005
【図５Ａ】
0006509229.tif 000006
【図５Ｂ】
0006509229.tif 000007
【図６Ａ】
0006509229.tif 000008
【図６Ｂ】
0006509229.tif 000009
【図６Ｃ】
0006509229.tif 000010
【図７】
0006509229.tif 000011
【図８】
0006509229.tif 000012
【図９】
0006509229.tif 000013
【図１０】
0006509229.tif 000014
【図１１】
0006509229.tif 000015
【図１２】
0006509229.tif 000016
【図１３】
0006509229.tif 000017
【図１４】
0006509229.tif 000018
【図１５】
0006509229.tif 000019